(57)【要約】【課題】感光体の表面上の異物を捕捉する１次ローラを感光体に安定して接触させることができる感光体ユニットおよびタンデム型感光体ユニットを提供すること。【解決手段】感光体ユニット２１では、１次ローラ４１が、表面にトナー像が形成される感光ドラム５の表面に接触して感光ドラム５の表面上の異物を捕捉する。１次ローラ４１の軸方向（幅方向）両端部は、一対の１次軸受部材５９によって回転自在に支持されている。ここで、一対のコイルばね６４が一対の１次軸受部材５９を感光ドラム５へ向けて付勢するので、１次ローラ４１を直接感光ドラム５へ向けて付勢することができる。さらに、一対の案内部材７０が、コイルばね６４が１次軸受部材５９を付勢する付勢方向Ｘへ、一対の１次軸受部材５９を案内するので、１次ローラ４１を感光ドラム５へ向けて正確に付勢することができる。【選択図】図９
2010262097.tif 000002
【特許請求の範囲】
【請求項１】
表面に現像剤像が形成される感光体と、
前記感光体の表面に接触し、前記感光体の表面上の異物を捕捉する１次ローラと、
前記１次ローラの軸方向両端部を回転自在に支持する一対の１次軸受部材と、
一対の前記１次軸受部材を前記感光体へ向けて付勢する一対の付勢部材と、
前記付勢部材が前記１次軸受部材を付勢する付勢方向へ一対の前記１次軸受部材を案内する一対の案内部材とを備えていることを特徴とする、感光体ユニット。
【請求項２】
前記感光体を保持する第１フレームと、
前記１次ローラ、一対の前記１次軸受部材および一対の前記付勢部材を保持する第２フレームとを備えていることを特徴とする、請求項１に記載の感光体ユニット。
【請求項３】
前記案内部材は、前記第１フレームに一体形成されていることを特徴とする、請求項２に記載の感光体ユニット。
【請求項４】
前記第２フレームは、前記案内部材を介して前記第１フレームに支持されていることを特徴とする、請求項２または３に記載の感光体ユニット。
【請求項５】
前記第２フレームに設けられ、前記感光体の表面の電荷を除去するための光を、前記感光体の表面における前記１次ローラに接触する直前の部分へ導く導光部材を備えていることを特徴とする、請求項２ないし４のいずれかに記載の感光体ユニット。
【請求項６】
前記第２フレームは、光を反射させる材料で形成されていることを特徴とする、請求項５に記載の感光体ユニット。
【請求項７】
前記感光体には、第１ギヤが設けられており、
前記１次ローラの軸方向一端部には、前記第１ギヤに噛合し、前記第１ギヤから駆動力が伝達されることによって前記１次ローラを回転させる第２ギヤが設けられており、
前記１次ローラの軸方向他端部に対して前記付勢方向上流側に設けられ、前記１次ローラの軸方向他端部による前記付勢方向上流側への移動を規制する規制部を備えていることを特徴とする、請求項１ないし６のいずれかに記載の感光体ユニット。
【請求項８】
前記１次ローラの表面に接触し、前記１次ローラの表面上の異物を捕捉する２次ローラと、
前記２次ローラの軸方向両端部を回転自在に支持する一対の２次軸受部材とを備え、
前記案内部材には、前記１次軸受部材を前記付勢方向へ案内する１次案内部と、前記２次軸受部材を前記付勢方向へ案内する２次案内部とが設けられていることを特徴とする、請求項１ないし７のいずれかに記載の感光体ユニット。
【請求項９】
前記２次ローラが捕捉した異物を収容する異物収容部を備えていることを特徴とする、請求項８に記載の感光体ユニット。
【請求項１０】
請求項８または９に記載の感光体ユニットを、現像剤像が転写される記録媒体の搬送方向に並んだ状態で複数保持し、画像形成装置本体に対して着脱自在なタンデム型感光体ユニットであって、
複数の前記感光体ユニットにおいて、前記搬送方向における最上流側の第１感光体ユニットは、前記１次ローラおよび前記２次ローラの両方を備え、
複数の前記感光体ユニットにおいて、前記第１感光体ユニットに対して前記搬送方向下流側の第２感光体ユニットは、前記１次ローラおよび前記２次ローラのうち前記１次ローラのみを備えていることを特徴とする、タンデム型感光体ユニット。
【発明の詳細な説明】
【技術分野】
【０００１】
本発明は、画像形成装置に装備される感光体ユニットおよびタンデム型感光体ユニットに関する。
【背景技術】
【０００２】
感光体ユニットとして、感光体フレームと、感光体フレームに支持される感光ドラムおよびクリーニングユニットとを備える感光体カートリッジが知られている（たとえば、特許文献１参照）。
感光ドラムの表面には、静電潜像が形成され、この静電潜像は、トナーが供給されることで可視像化されてトナー像となった後に、用紙に転写される。
【０００３】
クリーニングユニットは、転写時に用紙から感光ドラムの表面に付着した紙粉を除去するものであり、１次クリーニングローラと、２次クリーニングローラと、スポンジスクレーパとを備えている。
クリーニングユニットでは、１次クリーニングローラが、感光ドラムの表面に接触している。感光ドラムの表面の紙粉は、１次クリーニングローラに捕捉され、その後、１次クリーニングローラから２次クリーニングローラに受け渡される。２次クリーニングローラに受け渡された紙粉は、スポンジスクレーパによって掻き取られた後に、クリーニングユニット内の紙粉貯留室に貯留される。
【０００４】
このクリーニングユニットは、１次クリーニングローラを感光ドラムに対して均一に接触させるために、ばねによって感光ドラムへ向けて付勢されている。
【先行技術文献】
【特許文献】
【０００５】
【特許文献１】特開２００５−５５７７１号公報
【発明の概要】
【発明が解決しようとする課題】
【０００６】
特許文献１に記載の感光体カートリッジにおいて、ばねは、クリーニングユニット全体を感光ドラムへ向けて付勢しているが、１次クリーニングローラを感光ドラムへ向けて直接付勢している訳ではないので、１次クリーニングローラが感光ドラムに安定して接触しないおそれがある。
そこで、本発明の目的は、感光体の表面上の異物を捕捉する１次ローラを感光体に安定して接触させることができる感光体ユニットおよびタンデム型感光体ユニットを提供することにある。
【課題を解決するための手段】
【０００７】
上記目的を達成するため、請求項１に記載の発明は、感光体ユニットであって、表面に現像剤像が形成される感光体と、前記感光体の表面に接触し、前記感光体の表面上の異物を捕捉する１次ローラと、前記１次ローラの軸方向両端部を回転自在に支持する一対の１次軸受部材と、一対の前記１次軸受部材を前記感光体へ向けて付勢する一対の付勢部材と、前記付勢部材が前記１次軸受部材を付勢する付勢方向へ一対の前記１次軸受部材を案内する一対の案内部材とを備えていることを特徴としている。
【０００８】
また、請求項２に記載の発明は、請求項１に記載の発明において、前記感光体を保持する第１フレームと、前記１次ローラ、一対の前記１次軸受部材および一対の前記付勢部材を保持する第２フレームとを備えていることを特徴としている。
また、請求項３に記載の発明は、請求項２に記載の発明において、前記案内部材は、前記第１フレームに一体形成されていることを特徴としている。
【０００９】
また、請求項４に記載の発明は、請求項２または３に記載の発明において、前記第２フレームは、前記案内部材を介して前記第１フレームに支持されていることを特徴としている。
また、請求項５に記載の発明は、請求項２ないし４のいずれかに記載の発明において、前記第２フレームに設けられ、前記感光体の表面の電荷を除去するための光を、前記感光体の表面における前記１次ローラに接触する直前の部分へ導く導光部材を備えていることを特徴としている。
【００１０】
また、請求項６に記載の発明は、請求項５に記載の発明において、前記第２フレームは、光を反射させる材料で形成されていることを特徴としている。
また、請求項７に記載の発明は、請求項１ないし６のいずれかに記載の発明において、前記感光体には、第１ギヤが設けられており、前記１次ローラの軸方向一端部には、前記第１ギヤに噛合し、前記第１ギヤから駆動力が伝達されることによって前記１次ローラを回転させる第２ギヤが設けられており、前記１次ローラの軸方向他端部に対して前記付勢方向上流側に設けられ、前記１次ローラの軸方向他端部による前記付勢方向上流側への移動を規制する規制部を備えていることを特徴としている。
【００１１】
また、請求項８に記載の発明は、請求項１ないし７のいずれかに記載の発明において、前記１次ローラの表面に接触し、前記１次ローラの表面上の異物を捕捉する２次ローラと、前記２次ローラの軸方向両端部を回転自在に支持する一対の２次軸受部材とを備え、前記案内部材には、前記１次軸受部材を前記付勢方向へ案内する１次案内部と、前記２次軸受部材を前記付勢方向へ案内する２次案内部とが設けられていることを特徴としている。
【００１２】
また、請求項９に記載の発明は、請求項８に記載の発明において、前記２次ローラが捕捉した異物を収容する異物収容部を備えていることを特徴としている。
また、請求項１０に記載の発明は、請求項８または９に記載の感光体ユニットを、現像剤像が転写される記録媒体の搬送方向に並んだ状態で複数保持し、画像形成装置本体に対して着脱自在なタンデム型感光体ユニットであって、複数の前記感光体ユニットにおいて、前記搬送方向における最上流側の第１感光体ユニットは、前記１次ローラおよび前記２次ローラの両方を備え、複数の前記感光体ユニットにおいて、前記第１感光体ユニットに対して前記搬送方向下流側の第２感光体ユニットは、前記１次ローラおよび前記２次ローラのうち前記１次ローラのみを備えていることを特徴としている。
【発明の効果】
【００１３】
請求項１に記載の発明によれば、感光体ユニットでは、１次ローラが、表面に現像剤像が形成される感光体の表面に接触して感光体の表面上の異物を捕捉する。１次ローラの軸方向両端部は、一対の１次軸受部材によって回転自在に支持されている。
ここで、一対の付勢部材が一対の１次軸受部材を感光体へ向けて付勢するので、１次ローラを直接感光体へ向けて付勢することができる。さらに、一対の案内部材が、付勢部材が１次軸受部材を付勢する付勢方向（以下では、単に「付勢方向」という。）へ、一対の１次軸受部材を案内するので、１次ローラを感光体へ向けて正確に付勢することができる。
【００１４】
これらの結果、１次ローラを感光ドラムに安定して接触させることができる。
請求項２に記載の発明によれば、第１フレームが感光体を保持している一方で、第２フレームが、１次ローラ、一対の１次軸受部材および一対の付勢部材を保持している。
つまり、１次ローラ、一対の１次軸受部材および一対の付勢部材が第２フレームにおいてユニット化されているので、第１フレームと第２フレームとを組み合わせるといった単純な作業で感光体ユニットを容易に完成させることができる。
【００１５】
請求項３に記載の発明によれば、案内部材は、第１フレームに一体形成されているので、第１フレームに保持された感光体と案内部材との相対位置が安定する。これにより、案内部材は、１次軸受部材を付勢方向（感光体へ向かう方向）へ正確に案内することができる。
請求項４に記載の発明によれば、第２フレームは、案内部材を介して第１フレームに支持されている。これにより、案内部材は、１次軸受部材を案内するだけでなく、第１フレームと第２フレームとを連結させる役割も兼ねるので、部品点数の低減を図ることができる。
【００１６】
請求項５に記載の発明によれば、導光部材は、感光体の表面の電荷を除去するための光を、感光体の表面における１次ローラに接触する直前の部分へ導く。これにより、感光体の表面において１次ローラに接触する部分では電荷が除去されており、１次ローラは、感光体の表面の電荷の影響を受けることなく、円滑に、感光体の表面上の異物を捕捉することができる。
【００１７】
そして、導光部材を第２フレームに設けることによって、導光部材を支持する部材を別途設けずに済むので、部品点数の低減を図ることができる。
請求項６に記載の発明によれば、第２フレームは、光を反射させる材料で形成されているので、導光部材による感光体の表面へ光を導く作用を補助することができる。
請求項７に記載の発明によれば、１次ローラの軸方向一端部には、感光体の第１ギヤに噛合して第１ギヤから駆動力が伝達されることによって１次ローラを回転させる第２ギヤが設けられている。
【００１８】
そのため、１次ローラにおいて、軸方向一端部側の位置は、安定するが、軸方向他端部側の位置は、軸方向一端部側ほど安定しない。これにより、軸方向他端部側が付勢方向上流側へずれて感光体の表面に安定して接触できなくなることによって、１次ローラが軸方向他端部側において感光体の表面上の異物を捕捉できなくなるおそれがある。
そこで、１次ローラの軸方向他端部に対して付勢方向上流側には、規制部が設けられている。規制部は、１次ローラの軸方向他端部による付勢方向上流側への移動を規制する。これにより、１次ローラの軸方向他端部の位置が、軸方向一端部側と同様に安定する。この結果、１次ローラは、軸方向一端部側および軸方向他端部側の両方において、感光体の表面に安定して接触できるので、軸方向における全域に亘って、感光体の表面上の異物を確実に捕捉することができる。
【００１９】
請求項８に記載の発明によれば、２次ローラが１次ローラの表面に接触して１次ローラの表面上の異物を捕捉することによって、１次ローラによる感光体の表面上の異物を捕捉する能力を回復させることができる。２次ローラの軸方向両端部は、一対の２次軸受部材によって回転自在に支持されている。
ここで、案内部材には、１次案内部と２次案内部とが設けられている。
【００２０】
１次案内部が１次軸受部材を付勢方向へ案内するので、１次ローラを感光体へ向けて正確に付勢して、１次ローラを感光ドラムに安定して接触させることができる。
２次案内部が２次軸受部材を付勢方向へ案内するので、１次案内部によって付勢方向へ案内されている１次軸受部材に対して２次軸受部材を追従させることができ、２次ローラが１次ローラの表面に接触した状態を常に維持することができる。この結果、２次ローラは、安定して、１次ローラの表面に接触して１次ローラの表面上の異物を捕捉することができる。
【００２１】
請求項９に記載の発明によれば、異物収容部が、２次ローラが捕捉した異物を収容するので、感光体の表面上の異物を確実に回収することができ、また、２次ローラによる１次ローラの表面上の異物を捕捉する能力を回復させることができる。
請求項１０に記載の発明によれば、タンデム型感光体ユニットは、感光体ユニットを、現像剤像が転写される記録媒体の搬送方向（以下では、単に「搬送方向」という。）に並んだ状態で複数保持し、画像形成装置本体に対して着脱自在である。そのため、タンデム型感光体ユニットを画像形成装置本体に対して着脱させることで、各感光体ユニットのメンテナンスが可能である。
【００２２】
ここで、複数の感光体ユニットにおいて、搬送方向における最上流側の第１感光体ユニットでは、第１感光体ユニットに対して搬送方向下流側の第２感光体ユニットに比べて、記録媒体の異物（紙粉）が感光体の表面に付着しやすい。そのため、第１感光体ユニットの１次ローラには、第２感光体ユニットの１次ローラとは異なり、多くの紙粉が捕捉されることになる。
【００２３】
そこで、第１感光体ユニットは、１次ローラおよび２次ローラの両方を備えている。これにより、第１感光体ユニットでは、２次ローラによって、１次ローラによる感光体の表面上の異物を捕捉する能力を回復させながら、１次ローラが感光体の表面上の多くの異物を確実に捕捉することができる。
一方、第２感光体ユニットの１次ローラでは、第１感光体ユニットの１次ローラとは異なり、紙粉が捕捉されることはほとんどない。これは、感光体に付着するような記録媒体の紙粉は、搬送方向上流側の第１感光体ユニットの感光体にほとんど付着するためである。従って、第２感光体ユニットは、１次ローラおよび２次ローラのうち１次ローラのみを備えている。
【００２４】
つまり、第１感光体ユニットおよび第２感光体ユニットのそれぞれにおいて、感光体の表面に紙粉が付着し得るか否かに応じて、１次ローラおよび２次ローラの両方を備えるか、１次ローラのみを備えるかを、無駄が生じないように設定している。
この結果、タンデム型感光体ユニットにおける部品点数の低減、および、タンデム型感光体ユニットの小型化を図ることができる。
【図面の簡単な説明】
【００２５】
【図１】本発明に係る画像形成装置の一例としてのプリンタの一実施形態を示す側断面図である。
【図２】（ａ）は、ブラックの感光体ユニットの側断面図であって、（ｂ）は、ブラック以外の感光体ユニットの側断面図である。
【図３】（ａ）は、感光ドラムが省略された状態にあるブラックの感光体ユニット（サブユニット）を右後上方から見た斜視図であり、（ｂ）は、感光ドラムが省略された状態にあるブラックの感光体ユニット（サブユニット）を右前から見た斜視図である。
【図４】（ａ）は、ブラックの第２ユニットを右後上方から見た斜視図であり、（ｂ）は、ブラックの第２ユニットを右前から見た斜視図である。
【図５】図４（ａ）において要部を抜き出して示した図である。
【図６】案内部材を示しており、（ａ）は、斜視図であり、（ｂ）は、右側面図であり、（ｃ）は、左側面図である。
【図７】（ａ）は、感光体ユニットのサブユニットの第１フレームの左端部周辺を下方から見た斜視図であり、（ｂ）は、第１フレームの右端部周辺を下方から見た斜視図である。
【図８】ブラックの感光体ユニットの正面図であって、感光ドラムを省略している。
【図９】（ａ）は、図８のＡ−Ａ矢視断面図であり、（ｂ）は、図８のＢ−Ｂ矢視断面図である。
【図１０】（ａ）は、図８のＣ−Ｃ矢視断面図であり、（ｂ）は、図８のＤ−Ｄ矢視断面図である。
【図１１】（ａ）は、感光ドラムが省略された状態にあるブラック以外の感光体ユニット（サブユニット）を右後上方から見た斜視図であり、（ｂ）は、感光ドラムが省略された状態にあるブラック以外の感光体ユニット（サブユニット）を右前から見た斜視図である。
【図１２】（ａ）は、ブラック以外の第２ユニットを右後上方から見た斜視図であり、（ｂ）は、ブラック以外の第２ユニットを右前から見た斜視図である。
【発明を実施するための形態】
【００２６】
１．プリンタ
図１は、本発明に係る画像形成装置の一例としてのプリンタの一実施形態を示す側断面図である。なお、方向について言及する場合には、図示した方向矢印を参照する（他の図についても同様）。ここで、左右方向と幅方向（図１において紙面に垂直な方向）とは同じであり、上下方向と垂直方向とは同じである。そして、水平方向は、幅方向および前後方向を含んでいる。また、左側とは、図１において紙面に垂直な方向における奥側であり、右側とは、図１において紙面に垂直な方向における手前側である。また、幅方向内側とは、プリンタ１の幅方向中央に近い側である。
【００２７】
プリンタ１は、タンデム型のカラーレーザプリンタである。プリンタ１は、画像形成装置本体の一例としての本体ケーシング２を備えている。本体ケーシング２の前面には、フロントカバー３が開閉可能に設けられている。
本体ケーシング２内には、タンデム型感光体ユニット４が備えられている。タンデム型感光体ユニット４は、フロントカバー３が開かれた状態で、本体ケーシング２の前面に形成される着脱口を介して、本体ケーシング２の内部に対して着脱自在である。
【００２８】
タンデム型感光体ユニット４には、感光体の一例としての４つの感光ドラム５が、回転自在な状態で、前後方向に沿って並列配置されている。各感光ドラム５には、スコロトロン型の帯電器６および現像ローラ７が対向配置されている。また、各感光ドラム５には、現像ローラ７を保持し、トナー（現像剤）を収容する現像カートリッジ８が上から隣接配置されている。現像カートリッジ８は、感光ドラム５と同様に４つ設けられ、前後方向に沿って並列配置された状態で、タンデム型感光体ユニット４（厳密には後述するユニットフレーム２０）に対して着脱可能に装着されている。
【００２９】
ここで、４つの現像カートリッジ８を、それぞれが収容するトナーの色に応じて、現像カートリッジ８Ｋ（ブラック）、現像カートリッジ８Ｙ（イエロー）、現像カートリッジ８Ｍ（マゼンタ）、現像カートリッジ８Ｃ（シアン）と区別する。これらの現像カートリッジ８は、たとえば、前側から現像カートリッジ８Ｋ、現像カートリッジ８Ｙ、現像カートリッジ８Ｍ、現像カートリッジ８Ｃの順番で配置されている。
【００３０】
各現像カートリッジ８において、現像ローラ７の外周面（表面）には、現像カートリッジ８のトナーが担持される。現像ローラ７の表面は、対応する感光ドラム５の外周面（表面）に対して前上側から接触している。
各感光ドラム５の外周面は、帯電器６によって一様に帯電された後、本体ケーシング２の上部に設けられたスキャナユニット９から出射されたレーザビーム（図示破線矢印参照）によって露光される。これにより、各感光ドラム５の外周面には、画像データに基づく静電潜像が形成される。各感光ドラム５の静電潜像は、各感光ドラム５に対応する現像ローラ７の外周面に担持されるトナーによって可視像化され、各感光ドラム５の外周面には、トナー像（現像剤像）が形成される。ここで、上述したように現像カートリッジ８が収容するトナーの色が各現像カートリッジ８に応じて異なるので、感光ドラム５のトナー像の色は、各感光ドラム５に応じて異なる。
【００３１】
本体ケーシング２の底部には、記録媒体の一例としての用紙Ｓを収容する給紙カセット１０が配置されている。給紙カセット１０に収容されている用紙Ｓは、符号Ｓ１を付した太い点線で示すように、各種ローラにより、ベルト１１の上面に搬送される。
ベルト１１は、４つの感光ドラム５に下方から対向して配置されている。感光ドラム５に対してベルト１１の上側部分を挟んで対向する各位置には、転写ローラ１２が配置されている。ベルト１１上に搬送された用紙Ｓは、ベルト１１の走行により、ベルト１１と各感光ドラム５との間を順次後側へ通過する。そして、感光ドラム５の外周面上のトナー像は、用紙Ｓと対向（接触）したときに、転写ローラ１２に印加された転写バイアスによって、用紙Ｓに転写される。
【００３２】
ベルト１１に対して用紙Ｓの搬送方向における下流側（図１では後側）には、定着器１３が設けられている。トナー像が転写された用紙Ｓは、ベルト１１から定着器１３に受け渡される。定着器１３では、加熱および加圧により、トナー像が用紙Ｓに定着される。トナー像が定着した用紙Ｓは、符号Ｓ２を付した太い点線で示すように、各種ローラにより、本体ケーシング２の上面の排紙トレイ１４に排出される。
２．タンデム型感光体ユニット
次に、タンデム型感光体ユニット４について詳説する。
（１）タンデム型感光体ユニットの全体構成
タンデム型感光体ユニット４は、その外郭をなすユニットフレーム２０と、上述した感光ドラム５を１つずつ備える４つの感光体ユニット２１と、上述した４つの現像カートリッジ８とを備えている。
【００３３】
ユニットフレーム２０は、上下方向から見て前後に長手の略矩形をなす枠体形状であり、略矩形の４辺をなす４枚の側板２２（前側板２２Ｆ、後側板２２Ｂ、左側板２２Ｌおよび右側板２２Ｒ）を一体的に備えている。ユニットフレーム２０において、これら４枚の側板２２によって囲まれた空間は、上下の両方へ向けて開放されている。
４つの感光体ユニット２１は、ほぼ等しい間隔を隔てて、前後方向に沿って並列配置されており、この状態で、左側板２２Ｌの下端部と右側板２２Ｒの下端部との間に架設され、ユニットフレーム２０によって支持されている。各感光体ユニット２１は、現像カートリッジ８Ｋ、Ｙ、ＭおよびＣのいずれかに対応しており、４つの感光体ユニット２１は、前側から順に、感光体ユニット２１Ｋ、感光体ユニット２１Ｙ、感光体ユニット２１Ｍ、感光体ユニット２１Ｃと区別される。
【００３４】
各感光体ユニット２１は、１つの感光ドラム５と、この感光ドラム５に対して後上側から対向配置されるサブユニット１９（後述する）とを備えている。前後方向に沿って並列配置された４つの感光体ユニット２１をまとめて見ると、４つの感光ドラム５は、ほぼ等しい間隔を隔てて、上述したように前後方向に沿って並列配置されている。この状態で、各感光ドラム５は、左側板２２Ｌの下端部と右側板２２Ｒの下端部との間に架設され、ユニットフレーム２０によって回転自在に支持されている。
【００３５】
また、この状態で、各感光ドラム５の下側外周面は、ユニットフレーム２０から下方へ露出されている。そのため、タンデム型感光体ユニット４が本体ケーシング２に装着された状態において、各感光体ユニット２１では、感光ドラム５の下側外周面がベルト１１の上面に対して上から接触している。
ここで、ベルト１１での用紙Ｓの搬送方向は、上述したように、後側へ向かう方向である。また、４つの感光体ユニット２１は、上述したように、前後方向に沿って並列配置されている。そのため、タンデム型感光体ユニット４は、４つの感光体ユニット２１を、用紙Ｓの搬送方向に並んだ状態で保持していることがわかる。
【００３６】
そして、前後方向に沿って並列配置された４つの感光体ユニット２１において、最も前側の感光体ユニット２１Ｋが、用紙Ｓの搬送方向における最上流側にあり、第１感光体ユニットの一例とされる。また、残りの感光体ユニット２１Ｙ、２１Ｍ、２１Ｃは、感光体ユニット２１Ｋに対して、用紙Ｓの搬送方向における下流側にあり、第２感光体ユニットの一例とされる。
【００３７】
各現像カートリッジ８は、本体ケーシング２からタンデム型感光体ユニット４が離脱された状態において、ユニットフレーム２０（詳しくは４枚の側板２２によって囲まれた空間）に対して上方から着脱される。現像カートリッジ８がユニットフレーム２０に装着されると、現像ローラ７の下側外周面が、対応する感光体ユニット２１の感光ドラム５の外周面に対して、前上側から接触する。これにより、画像形成時には、上述したように、感光ドラム５の静電潜像に現像ローラ７からトナーを供給してこの静電潜像を可視像化することができる。
（２）サブユニット
以下には、サブユニット１９について詳説するが、後述するように、ブラックの感光体ユニット２１Ｋのサブユニット１９の構成は、ブラック以外の感光体ユニット２１Ｙ、ＭおよびＣのサブユニット１９の構成と異なる。
【００３８】
図２において、（ａ）は、ブラックの感光体ユニットの側断面図であって、（ｂ）は、ブラック以外の感光体ユニットの側断面図である。図３において、（ａ）は、感光ドラムが省略された状態にあるブラックの感光体ユニット（サブユニット）を右後上方から見た斜視図であり、（ｂ）は、感光ドラムが省略された状態にあるブラックの感光体ユニット（サブユニット）を右前から見た斜視図である。
【００３９】
図２を参照して、感光体ユニット２１Ｋ、Ｙ、Ｍ、Ｃを問わず、サブユニット１９は、第１ユニット２３と第２ユニット２４とを備えている。第２ユニット２４は、クリーニングユニットとも呼ばれる。感光体ユニット２１Ｋと、感光体ユニット２１Ｙ、ＭおよびＣとでは、第１ユニット２３の構成は、ほとんど同じであるが、第２ユニット２４の構成が異なる。よって、第２ユニット２４を、感光体ユニット２１の種類（Ｋ、Ｙ、Ｍ、Ｃ）に応じて、第２ユニット２４Ｋ、第２ユニット２４Ｙ、第２ユニット２４Ｍ、第２ユニット２４Ｃと区別する。
【００４０】
以降では、サブユニット１９について、ブラックの感光体ユニット２１Ｋのサブユニット１９（図２（ａ）参照）を主として説明する。
サブユニット１９において、第１ユニット２３は、第１フレーム３５と、上述した帯電器６とを備えている。
第１フレーム３５に関し、その右側断面は、後上側へ延びる斜線からなるハッチングが施された部分である（後述する図９および図１０においても同様）。第１フレーム３５は、上方から見て幅方向に長手の矩形をなす板状であり（図３参照）、後下側へ傾斜して延びている。幅方向から見て、第１フレーム３５において、前上側の端部は、中空になっており、この中空部分は、ダクト２５とされる。
【００４１】
第１フレーム３５の下面において、ダクト２５に対して後下側から隣接する位置には、後上側へ凹む凹部３２が形成されている。凹部３２（詳しくは、凹部３２の内側の空間）は、ダクト２５に連通している。そして、凹部３２には、帯電器６が嵌め込まれている。各感光体ユニット２１において、帯電器６は、感光ドラム５に対して、接触しないように間隔を隔てて、後上側から対向している。
【００４２】
ここで、帯電器６について詳説すると、帯電器６は、感光ドラム５の後上側の外周面に対して間隔を隔てて対向する放電ワイヤ２６と、放電ワイヤ２６と感光ドラム５との間に設けられ、放電ワイヤ２６から感光ドラム５への電荷量を制御するためのグリッド２７とを備えている。帯電器６では、グリッド２７にバイアスを印加すると同時に、放電ワイヤ２６に高電圧を印加して放電ワイヤ２６をコロナ放電させることにより、上述したように、感光ドラム５の外周面が一様に帯電される。
【００４３】
そして、図３（ａ）に示すように、第１フレーム３５の右端面には、複数の電極２８が、右側へ露出した状態で設けられている。これらの電極２８は、前上側から順に、第１電極２８Ａ、第２電極２８Ｂ、第３電極２８Ｃ、第４電極２８Ｄと区別される。これらの電極２８は、ユニットフレーム２０の上述した右側板２２Ｒ（図１参照）から右側に露出され、本体ケーシング２側の電極（図示せず）に接続される。これにより、本体ケーシング２の電源（図示せず）からの電力が、帯電器６（図２参照）や第２ユニット２４（詳しくは、後述する１次ローラ４１および２次ローラ４２であり、図２参照）に供給される。
【００４４】
詳しくは、帯電器６において、放電ワイヤ２６（図２参照）に対しては、第１電極２８Ａから、上述した高電圧が印加され、グリッド２７（図２参照）に対しては、第２電極２８Ｂから、上述したバイアスが印加される。第３電極２８Ｃおよび第４電極２８Ｄについては、以降で説明する。
また、上述したダクト２５は、第１フレーム３５を幅方向において貫通しており、第１フレーム３５の右端面では、第２電極２８Ｂの前上側において、ダクト２５の右端部が露出されている。ダクト２５は、ユニットフレーム２０の左側板２２Ｌおよび右側板２２Ｒ（図１参照）のそれぞれから幅方向外側へ露出されている。そのため、ユニットフレーム２０の外側の空気が、ダクト２５内に流れ込み、帯電器６（図２参照）を冷却したり、放電ワイヤ２６（図２参照）に付着した塵埃等を除去したりする。
【００４５】
第１フレーム３５の左右の端面のそれぞれには、幅方向外側へ突出する複数のボス２９が一体的に設けられており、各ボス２９が、ユニットフレーム２０の左側板２２Ｌおよび右側板２２Ｒ（図１参照）において対応する方の下端部に対して幅方向内側から組み付けられる。また、上述したように、各感光体ユニット２１において、感光ドラム５（図２参照）は、左側板２２Ｌの下端部と右側板２２Ｒの下端部との間に架設され、ユニットフレーム２０によって回転自在に支持されている。これにより、各感光体ユニット２１は、第１フレーム３５および感光ドラム５において、上述したように、左側板２２Ｌの下端部と右側板２２Ｒの下端部との間に架設され、ユニットフレーム２０によって支持されている（図１参照）。
【００４６】
ここで、左側板２２Ｌおよび右側板２２Ｒのそれぞれの下端部において感光ドラム５を支持する部分を、この感光ドラム５を有する感光体ユニット２１の第１フレーム３５の一部とすると、各感光体ユニット２１において、第１フレーム３５は、対応する感光ドラム５を保持している。
そして、第１フレーム３５の後下側の端縁の幅方向両端部には、後下側へ突出する一対の突出部３０が一体的に設けられており、第１フレーム３５の後下側の端縁には、一対の突出部３０によって挟まれた幅方向に長手の切欠き３１が形成されている。第２ユニット２４は、この切欠き３１に嵌るように設けられている。
【００４７】
次に、第２ユニット２４について説明するが、ブラックの第２ユニット２４Ｋから先に説明する。
（２−１）ブラックの第２ユニット
図４において、（ａ）は、ブラックの第２ユニットを右後上方から見た斜視図であり、（ｂ）は、ブラックの第２ユニットを右前から見た斜視図である。図５は、図４（ａ）において要部を抜き出して示した図である。
【００４８】
図２（ａ）を参照して、第２ユニット２４Ｋは、第２フレーム３６と、１次ローラ４１と、２次ローラ４２と、掻取部材４３と、導光部材４４とを備えている。
ここで、どの第２ユニット２４を問わず、第２フレーム３６の右側断面は、後下側へ延びる斜線からなるハッチングが施された部分であり（後述する図９および図１０においても同様）、第２フレーム３６は、幅方向に長手である。
【００４９】
第２ユニット２４Ｋの第２フレーム３６の右側断面は、後側へ向かって細くなる略Ｖ字形状である。このような右側断面形状をなすべく、第２ユニット２４Ｋの第２フレーム３６は、幅方向に長手で略水平方向に延びる板状の下フレーム４５と、幅方向に長手で下フレーム４５の後端部から前上側へ延びる板状の上フレーム４６とを分割可能に備えている。この第２フレーム３６において、下フレーム４５と上フレーム４６とによって挟まれた空間（異物収容部の一例としての貯留室４７という。）は、前上側において開放され、外部に連通している。
【００５０】
ここで、上フレーム４６において貯留室４７に上から臨む面（下面）の前側部分には、取付面４６Ａが形成されている。取付面４６Ａは、垂直方向に対して前側へ少し傾いた方向に平坦である。この取付面４６Ａに対して、上述した掻取部材４３が取り付けられており、掻取部材４３は、貯留室４７内に配置されている。
掻取部材４３は、幅方向に細長いブロック形状であり、スポンジによって形成されている。幅方向から見ると、掻取部材４３は、上下方向（厳密には取付面４６Ａに沿う方向）にやや長手の略矩形状をなしている。掻取部材４３では、後面が、両面テープ等で取付面４６Ａに貼り付けられており、前面が、貯留室４７において前上側へ開放された部分に対して後側から臨んでいる。
【００５１】
そして、下フレーム４５の左端部４５Ｌは、後上側へ略直角に折り曲げられており、上フレーム４６の左端部４６Ｌは、前下側へ略直角に折り曲げられている。このように折り曲げられた下フレーム４５の左端部４５Ｌと上フレーム４６の左端部４６Ｌとが嵌り合っていることから、貯留室４７の左側が塞がれている。このように嵌り合った状態にある左端部４５Ｌおよび左端部４６Ｌのまとまりは、幅方向から見て後側へ細くなる略三角形の塞ぎ板４８をなしている。
【００５２】
また、図４（ａ）に示すように、下フレーム４５の右端部４５Ｒは、後上側へ略直角に折り曲げられており、上フレーム４６の右端部４６Ｒは、前下側へ略直角に折り曲げられている。このように折り曲げられた下フレーム４５の右端部４５Ｒと上フレーム４６の右端部４６Ｒとが嵌り合っていることから、貯留室４７（図２（ａ）参照）の右側が塞がれている。このように嵌り合った状態にある右端部４５Ｒおよび右端部４６Ｒのまとまりは、上述した塞ぎ板４８をなしている。
【００５３】
そして、図２（ａ）に示すように、下フレーム４５の前端部の上面には、延設部４９が一体的に設けられている。延設部４９は、幅方向に長手の板状であり、下フレーム４５の前端部の上面（詳しくは、下フレーム４５の前端縁から少し後側の位置）から上側へ延びた後に前側へ略直角に折り曲げられている。このような延設部４９と下フレーム４５の前端部とによって、後側へ窪む凹部５０が区画されている。凹部５０と上述した貯留室４７とは、延設部４９によって仕切られている。
【００５４】
凹部５０は、幅方向に長手であり、その右端部は、右側の塞ぎ板４８よりも右側へはみ出ている（図４（ａ）参照）。下フレーム４５の前端部および延設部４９において、幅方向から見て、凹部５０の上側および下側を区画する部分は、略水平方向に沿った平坦面であり、凹部５０の後側を区画する部分は、略垂直方向に沿った平坦面である。
凹部５０には、上述した導光部材４４が、前側から嵌め込まれた状態で収容されている。つまり、導光部材４４は、凹部５０が区画された第２フレーム３６に設けられている。
【００５５】
導光部材４４は、幅方向に細長い棒状であり、透明なガラスまたは樹脂で形成されている。導光部材４４の幅方向寸法は、感光ドラム５の外周面の幅方向寸法より大きい。導光部材４４の右端部は、上述した凹部５０の右端部と同様に、右側の塞ぎ板４８よりも右側へはみ出ている（図４（ａ）参照）。
幅方向から見ると、導光部材４４は、前後にやや長手の略矩形状をなしている。ここで、導光部材４４において、上面および下面は、略水平方向に沿った平坦面であり、後面は、略垂直方向に沿った平坦面である。凹部５０に収容された状態にある導光部材４４において、上面、下面および後面は、下フレーム４５の前端部および延設部４９において凹部５０を区画する部分によって覆われている。その一方で、導光部材４４の前面は、前側へ円弧状に膨出する曲面であり、凹部５０から前側へ露出されている。導光部材４４の機能については、以降で説明する。
【００５６】
そして、図４に示すように、第２フレーム３６の幅方向両端部のそれぞれには、保持部５１が一体的に設けられている。つまり、保持部５１は、幅方向に間隔を隔てて一対設けられている。
各保持部５１は、第１保持部５１Ａと、第２保持部５１Ｂ（図４（ａ）参照）と、第３保持部５１Ｃ（図４（ｂ）参照）とを含んでいる。
【００５７】
左側の保持部５１では、第１保持部５１Ａおよび第２保持部５１Ｂは、上フレーム４６の左端部４６Ｌの前上側端部に一体的に設けられ（図４（ａ）参照）、第３保持部５１Ｃは、下フレーム４５の延設部４９の前上側端部の左端部に一体的に設けられている（図４（ｂ）参照）。
右側の保持部５１では、第１保持部５１Ａおよび第２保持部５１Ｂは、上フレーム４６の右端部４６Ｒの前上側端部に一体的に設けられ（図４（ａ）参照）、第３保持部５１Ｃは、下フレーム４５の延設部４９の前上側端部の右端部に一体的に設けられている（図４（ｂ）参照）。
【００５８】
左右の各保持部５１において、第１保持部５１Ａは、板状であり、上フレーム４６の左端部４６Ｌおよび右端部４６Ｒにおいて対応する方の前上側端部から前上側へ延びた後（図４（ａ）参照）、湾曲しながら前側へ延びている（図４（ｂ）参照）。第１保持部５１Ａにおいて、前上側へ延びている後側部分には、貫通穴（挿通穴５２という。）が形成されており、湾曲しながら前側へ延びている前側部分には、貫通穴（第１貫通穴５３という。）が形成されている。
【００５９】
左右の各保持部５１において、第２保持部５１Ｂは、板状であり、幅方向で同じ側にある第１保持部５１Ａの後端部に連続しており、この第１保持部５１Ａの後端部から後下側へ延びた後、折れ曲って前下側へ延びている（図４（ａ）参照）。第２保持部５１Ｂには、後側から見て上下に長手の貫通穴（第２貫通穴５４という。）が形成されている。
左右の各保持部５１において、第３保持部５１Ｃは、図４（ｂ）に示すように板状であり、延設部４９の前上側端部において幅方向で同じ側にある端部から、幅方向で同じ側にある第１保持部５１Ａの前端部へ向かって上側へ延びている（後述する図９（ｂ）および図１０（ａ）も参照）。第３保持部５１Ｃの上端部は、幅方向で同じ側にある第１保持部５１Ａの前端部に対して、僅かな隙間を隔てて前下側から対向している。第３保持部５１Ｃには、前側から見て上下に長手の貫通穴（第３貫通穴５５という。）が形成されている。
【００６０】
次に、１次ローラ４１および２次ローラ４２について説明する。
１次ローラ４１および２次ローラ４２に関し、図５に示された２本のローラのうち、上側のローラが、１次ローラ４１であり、下側のローラが、２次ローラ４２である。
１次ローラ４１は、幅方向に長手である。１次ローラ４１は、金属製で幅方向に細長い円柱状の軸部４１Ａと、軸部４１Ａの外周面において幅方向両端部以外の部分を被覆するローラ部４１Ｂとを一体的に備えている。軸部４１Ａが幅方向に細長いことから、１次ローラ４１の軸方向は、幅方向である。ローラ部４１Ｂは、発泡体（たとえばスポンジ）で形成されている。１次ローラ４１の左端部（１次ローラ４１の軸方向一端部）には、ギヤ（第２ギヤの一例としての１次ギヤ５６という。）が設けられている。１次ギヤ５６は、幅方向に延びる中心軸を有する略円筒状であり、その外周面にギヤ歯が形成されている。
【００６１】
２次ローラ４２は、金属製であり、幅方向に細長い円柱状をなしている。そのため、２次ローラ４２の軸方向は、幅方向である。２次ローラ４２の左端部には、ギヤ（２次ギヤ５７という。）が設けられている。２次ギヤ５７は、幅方向に延びる中心軸を有する略円筒状であり、その外周面にギヤ歯が形成されている。
１次ローラ４１の幅方向寸法と２次ローラ４２の幅方向寸法とは、ほぼ同じである。
【００６２】
１次ローラ４１および２次ローラ４２において幅方向で同じ側の端部のそれぞれは、同一の軸受部材５８によって回転自在に支持されている。つまり、１次ローラ４１および２次ローラ４２の両方の軸方向両端部を回転自在に支持する一対の軸受部材５８が、第２ユニット２４に設けられている。
各軸受部材５８は、幅方向から見て略８の字形状をなしており、図５での姿勢（プリンタ１内に組み込まれた状態における姿勢である）を基準として、前上側の１次軸受部材５９と、後下側の２次軸受部材６０と、１次軸受部材５９と２次軸受部材６０とを連結する連結部６１と、を一体的に備えている。
【００６３】
１次軸受部材５９および２次軸受部材６０は、ともに、中心軸が幅方向に延びる略円筒形状である。
１次軸受部材５９の上側外周面には、上向きに突出する凸部（第１凸部６２という。）が一体的に設けられている（図９（ｂ）および図１０（ａ）も参照）。また、１次軸受部材５９の後側外周面には、付勢部材の一例として前後に長手のコイルばね６４の前端が取付けられており、コイルばね６４は、軸受部材５８に対して一体化されている。詳しくは、１次軸受部材５９の後側外周面には、後向きに突出するボス６５（図９（ｂ）および図１０（ａ）参照）が一体的に設けられており、このボス６５に、コイルばね６４の前端が外嵌されている。左右の各軸受部材５８の１次軸受部材５９にコイルばね６４が１つ設けられていることから、コイルばね６４は、幅方向に間隔を隔てて一対設けられている。
【００６４】
２次軸受部材６０の下側外周面には、後下側へ突出する凸部（第２凸部６３という。）が一体的に設けられている（図９（ｂ）および図１０（ａ）も参照）。
また、１次軸受部材５９の前側外周面には、前向きに突出する凸部（第３凸部６６という。）が一体的に設けられている（図４（ｂ）、図９（ｂ）および図１０（ａ）参照）。
各軸受部材５８において、上述した第１凸部６２、第２凸部６３および第３凸部６６は、幅方向においてほぼ同じ位置（詳しくは、軸受部材５８の幅方向中央より幅方向内側の位置であって、右側の軸受部材５８の場合には幅方向中央より左側の位置）にある（図９（ｂ）および図１０（ａ）も参照）。
【００６５】
連結部６１は、略直方体をなすブロック形状であり、１次軸受部材５９の下側外周面の幅方向中央部と２次軸受部材６０の上側外周面の幅方向中央部との間に架設されている。各軸受部材５８において、連結部６１は、第１凸部６２、第２凸部６３および第３凸部６６よりも幅方向外側（右側の軸受部材５８の場合には右側）にある。
１次ローラ４１では、軸部４１Ａの右端部が、右側の軸受部材５８の１次軸受部材５９の中空部分に挿通され、この１次軸受部材５９によって回転自在に支持されている。そして、軸部４１Ａの左端部（詳しくは、１次ギヤ５６よりも右側の部分が、）が、左側の軸受部材５８の１次軸受部材５９の中空部分に挿通され、この１次軸受部材５９によって回転自在に支持されている。これにより、１次ローラ４１の幅方向両端部は、左右一対の軸受部材５８（１次軸受部材５９）によって回転自在に支持されている。
【００６６】
２次ローラ４２では、右端部が、右側の軸受部材５８の２次軸受部材６０の中空部分に挿通され、この２次軸受部材６０によって回転自在に支持されている。そして、２次ローラ４２の左端部（詳しくは、２次ギヤ５７よりも右側の部分が、）が、右側の軸受部材５８の２次軸受部材６０の中空部分に挿通され、この２次軸受部材６０によって回転自在に支持されている。これにより、２次ローラ４２の幅方向両端部は、左右一対の軸受部材５８（２次軸受部材６０）によって回転自在に支持されている。
【００６７】
このように１次ローラ４１および２次ローラ４２のそれぞれが左右の軸受部材５８によって支持された状態において、２次ローラ４２の上側外周面において幅方向両端部以外の部分が、１次ローラ４１のローラ部４１Ｂの下側外周面の幅方向全域に対して後下側から接触している。また、１次ローラ４１の１次ギヤ５６が、２次ローラ４２の２次ギヤ５７に対して前上側から噛合している。
【００６８】
ここで、上述した第２フレーム３６（図４参照）は、左右の軸受部材５８に固定されている。
詳しくは、図４を参照して、第２フレーム３６の上述した左右の保持部５１のそれぞれにおいて、第１保持部５１Ａと第３保持部５１Ｃとの間に対して、幅方向で同じ側にある軸受部材５８の１次軸受部材５９（図５参照）における幅方向内側部分が嵌め込まれている（図４（ｂ）参照）。そして、左右の保持部５１のそれぞれにおいて、第２保持部５１Ｂに対して、幅方向で同じ側にある軸受部材５８の２次軸受部材６０（図５参照）が前から嵌め込まれている（図４（ａ）参照）。
【００６９】
この状態で、各軸受部材５８では、１次軸受部材５９の第１凸部６２（図５参照）が、幅方向で同じ側にある第１保持部５１Ａの第１貫通穴５３に対して下側から嵌って第１保持部５１Ａに係止されている（図４、図９（ｂ）および図１０（ａ）参照）。そして、２次軸受部材６０の第２凸部６３が、幅方向で同じ側にある第２保持部５１Ｂの第２貫通穴５４に対して前側から嵌って第２保持部５１Ｂに係止されている（図４（ａ）、図９（ｂ）および図１０（ａ）参照）。また、１次軸受部材５９の第３凸部６６が、幅方向で同じ側にある第３保持部５１Ｃの第３貫通穴５５に対して後側から嵌って第３保持部５１Ｃに係止されている（図４（ｂ）、図９（ｂ）および図１０（ａ）参照）。
【００７０】
以上により、第２フレーム３６が、左右の保持部５１において、各軸受部材５８を外れないように保持し、換言すれば、各軸受部材５８に固定されている。また、この状態で、図４（ａ）に示すように、左右の各第１保持部５１Ａの挿通穴５２に対して、幅方向で同じ側にある第１軸受部材５９（図５参照）のコイルばね６４が、前側から挿通され、第１保持部５１Ａから後側へはみ出ている。
【００７１】
この状態で、第２ユニット２４が完成しており、第２ユニット２４において、第２フレーム３６は、１次ローラ４１、２次ローラ４２、掻取部材４３と、導光部材４４、一対の軸受部材５８および一対のコイルばね６４を保持している（図２（ａ）も参照）。
完成した状態にある第２ユニット２４（２４Ｋ）において、図２（ａ）に示すように、１次ローラ４１のローラ部４１Ｂでは、後下側の外周面が、貯留室４７内を前上側から臨みつつ、貯留室４７において開放された前上側部分を塞いでいる一方で、それ以外の外周面が、外部へ露出されている（図４も参照）。ここで、ローラ部４１Ｂの後下側の外周面が、貯留室４７において開放された前上側部分を塞いでいることから、貯留室４７は、密閉されている。なお、ローラ部４１Ｂの外周面と第２フレーム３６との隙間は、シール部材３８によって適宜塞がれており、これによって、貯留室４７の密閉度が保たれている。
【００７２】
そして、２次ローラ４２では、幅方向両端部に挟まれた部分が、貯留室４７内に収容されている。２次ローラ４２では、前上側の外周面が、１次ローラ４１のローラ部４１Ｂの後下側の外周面の幅方向全域に対して、後下側から接触しており、後側の外周面の幅方向全域が、上述した掻取部材４３の前面に対して、前側から食い込んでいる。
そして、図５に示すように、左右の軸受部材５８のそれぞれには、案内部材７０（ドットで塗り潰された部分であり、他の図においても同様。）が取付けられている。つまり、案内部材７０は、幅方向に間隔を隔てて一対設けられている。一対の案内部材７０は、各感光体ユニット２１に含まれる部材である。
【００７３】
図６は、案内部材を示しており、（ａ）は、斜視図であり、（ｂ）は、右側面図であり、（ｃ）は、左側面図である。
ここで、図５に示す一対の案内部材７０において、左側の案内部材７０と右側の案内部材７０とは、幅方向に並んだ状態で、これらの間で上下に延びる線を基準として対称となるような形状となっている。以下では、左側の案内部材７０を基準として、図６を参照しながら案内部材７０について説明する。なお、図６（ｂ）および図６（ｃ）のそれぞれにおける案内部材７０の姿勢は、軸受部材５８に取付けられた状態（図５参照）における姿勢である。
【００７４】
図６（ｂ）および図６（ｃ）に示すように、案内部材７０は、全体として、前上側（後下側）へ長手で幅方向に薄い板状である（図６（ａ）も参照）。案内部材７０には、前上側の１次案内部７１と、後下側の２次案内部７２とが設けられている。
１次案内部７１の幅方向内側面（図６（ｂ）において手前側の面）と２次案内部７２の幅方向内側面とは面一となっており（図６（ａ）も参照）、１次案内部７１の幅方向外側面（図６（ｃ）において手前側の面）と２次案内部７２の幅方向外側面とは面一となっている。
【００７５】
図６（ｂ）に示すように、１次案内部７１および２次案内部７２のそれぞれは、幅方向から見て、後上側（前下側）へやや長手の略矩形状をなしている。１次案内部７１および２次案内部７２のそれぞれの後側部分では、幅方向から見て、ほとんどの角が丸められている。そして、１次案内部７１および２次案内部７２のそれぞれの幅方向内側面には、幅方向外側（図６（ｂ）では奥側）へ窪む凹部７３が形成されている。凹部７３は、幅方向から見ると、後上側（前下側）へやや長手の略楕円形状をなしている。詳しくは、２次案内部７２の凹部７３を参照して、幅方向から見たときの凹部７３の輪郭は、上下に等間隔を隔てて後上側へ直線状に延びる一対の直線部７４と、一対の直線部７４の前端間に架設されて前下側へ円弧状に膨出する前側円弧部７５と、一対の直線部７４の後端間に架設されて後上側へ円弧状に膨出する後側円弧部７６とによって区画されている。
【００７６】
ここで、１次案内部７１の凹部７３の長手方向寸法は、軸受部材５８の１次軸受部材５９の外径より大きく設定されており、２次案内部７２の凹部７３の長手方向寸法は、軸受部材５８の２次軸受部材６０の外径より大きく設定されている（図９（ａ）および図１０（ｂ）参照）。そして、１次案内部７１の凹部７３における一対の直線部７４の間隔は、１次軸受部材５９の外径とほぼ同じになるように（または僅かに大きくなるように）設定されている。また、２次案内部７２の凹部７３における一対の直線部７４の間隔は、２次軸受部材６０の外径とほぼ同じになるように（または僅かに大きくなるように）設定されている（図９（ａ）および図１０（ｂ）参照）。
【００７７】
また、１次案内部７１の後端部には、幅方向（図６（ｂ）において紙面に垂直な方向）において凹部７３に一致する部分のみを切欠く（１次案内部７１の後端部を幅方向において貫通しない）切欠き７７が形成されている。１次案内部７１の凹部７３は、切欠き７７から後側へ露出されている。つまり、幅方向から見たときの１次案内部７１の凹部７３の輪郭は、２次案内部７２の凹部７３と異なり、厳密には略楕円形状でなく、後側円弧部７６において途切れた略Ｃ字形状である。
【００７８】
そして、１次案内部７１および２次案内部７２のそれぞれの凹部７３の底部（幅方向外側部分）には、それぞれの底部を幅方向に貫通する挿通穴７８が形成されている。挿通穴７８は、幅方向から見たときの凹部７３（厳密には２次案内部７２の凹部７３）と相似しており、凹部７３より一回り小さい楕円形状である。
また、１次案内部７１の前上側の端部および２次案内部７２の前下側の端部のそれぞれには、後上側へ直線状に延びる係合部７９が一体的に設けられている。１次案内部７１に設けられた係合部７９（第１係合部７９Ａという。）は、１次案内部７１に対して上側へ離れた状態で、後上側へ延びている。２次案内部７２に設けられた係合部７９（第２係合部７９Ｂという。）は、２次案内部７２に対して下側へ離れた状態で、後上側へ延びている。各係合部７９の後端部には、鉤状の爪８０が一体的に設けられている。第１係合部７９Ａの爪８０は、前上側へ突出しており、第２係合部７９Ｂの爪８０は、後下側へ突出している。
【００７９】
このような案内部材７０が、図５に示すように、左右の軸受部材５８のそれぞれに取り付けられている。
詳しくは、この状態で、各軸受部材５８に取り付けられる案内部材７０では、１次案内部７１および２次案内部７２の両方の凹部７３（図６（ａ）参照）が幅方向内側を向いている。
【００８０】
そして、１次案内部７１の凹部７３（図６（ａ）参照）に対して、対応する軸受部材５８の１次軸受部材５９において連結部６１より幅方向外側の部分が、幅方向内側から遊嵌されている。この状態で、１次軸受部材５９において凹部７３に遊嵌された部分の後側外周面は、案内部材７０の切欠き７７（図６（ｂ）も参照）から後側へ露出されている。また、２次案内部７２の凹部７３（図６（ａ）参照）に対して、対応する軸受部材５８の２次軸受部材６０において連結部６１より幅方向外側の部分が、幅方向内側から遊嵌されている。この状態で、１次軸受部材５９および２次軸受部材６０のそれぞれは、対応する（遊嵌された）凹部７３（図６参照）の長手方向に沿ってスライドすることができる。
【００８１】
さらに、１次案内部７１の挿通穴７８（図６（ａ）参照）に対して、１次ローラ４１の軸部４１Ａにおいて対応する軸受部材５８の１次軸受部材５９より幅方向外側の部分が、遊嵌されている。また、第２案内部７１の挿通穴７８（図６（ａ）参照）に対して、２次ローラ４１において対応する軸受部材５８の２次軸受部材６０より幅方向外側の部分が、遊嵌されている（図６（ａ）も参照）。この状態で、軸部４１Ａおよび２次ローラ４１のそれぞれは、対応する（遊嵌された）挿通穴７８（図６参照）の長手方向に沿ってスライドすることができる。
【００８２】
ここで、１次ローラ４１の軸部４１Ａにおいて、右端部は、右側の案内部材７０（１次案内部７１）の挿通穴７８（図６（ａ）参照）から右側へはみ出ており、左端部は、左側の案内部材７０（１次案内部７１）の挿通穴７８から左側へはみ出ている。軸部４１Ａの右端部には、円筒状のカラー６９が右側から外嵌されており、軸部４１Ａの左端部には、上述した１次ギヤ５６が組み付けられている。カラー６９は、導電性を有している。
【００８３】
また、２次ローラ４２において、右端部は、右側の案内部材７０（２次案内部７２）の挿通穴７８（図６（ａ）参照）から右側へはみ出ており、左端部は、左側の案内部材７０（２次案内部７２）の挿通穴７８から左側へはみ出ている。２次ローラ４２の右端部には、軸部４１Ａの右端部と同様に、カラー６９が右側から外嵌されており、２次ローラ４２の左端部には、上述した２次ギヤ５７が組み付けられている。
【００８４】
軸部４１Ａおよび２次ローラ４２のそれぞれの右端部に対してカラー６９が右側から外嵌されていることから、右側の案内部材７０は、幅方向において位置決めされており、この案内部材７０が右側へずれることが防止されている。軸部４１Ａおよび２次ローラ４２のそれぞれの右端面は、対応するカラー６９から右側へ露出されている。また、軸部４１Ａおよび２次ローラ４２のそれぞれの左端部に対して、対応するギヤ（１次ギヤ５６および２次ギヤ５７のいずれか）が取り付けられていることから、左側の案内部材７０が、幅方向において位置決めされており、この案内部材７０が左側へずれることが防止されている。
【００８５】
以上のように案内部材７０が左右の軸受部材５８のそれぞれに取り付けられた状態で、各軸受部材５８は、取り付けられた案内部材７０に対して、凹部７３の長手方向（つまり、凹部７３において後上側へ延びる直線部７４に平行な方向であり、図６（ｂ）参照）に沿ってスライドすることで、相対移動することができる。これに伴い、軸受部材５８によって支持された１次ローラ４１および２次ローラ４２も軸受部材５８と一緒にスライドすることができる。
【００８６】
そして、図４を参照して、上述したように第２フレーム３６が左右の軸受部材５８に固定されていることから、第２ユニット２４全体が、一体となって、左右の案内部材７０に対して、凹部７３（図６参照）の長手方向に沿ってスライドすることで、相対移動することができる。
次に、第１ユニット２３と第２ユニット２４との支持関係について説明する。この説明に先立って、第１ユニット２３の第１フレーム３５について、さらに説明する。
【００８７】
図７において、（ａ）は、感光体ユニットのサブユニットの第１フレームの左端部周辺を下方から見た斜視図であり、（ｂ）は、第１フレームの右端部周辺を下方から見た斜視図である。
図７を参照して、第１フレーム３５の左右の両端部（詳しくは、突出部３０と一致する部分）のそれぞれの下面には、前ホルダ８５と後ホルダ８６とが、前後に間隔を隔てて並んだ状態で、一体的に設けられている。
【００８８】
前ホルダ８５は、幅方向において隙間を隔てた状態で第１フレーム３５の下面から前下側へ突出する一対のプレート（前プレート８７という。）と、一対の前プレート８７の間に設けられて後下側へ突出する爪８８（図９（ａ）および図１０（ｂ）も参照）とを一体的に備えている。各前プレート８７は、幅方向から見て、前下側へ向かって細くなる略三角形状をなしている。
【００８９】
後ホルダ８６は、幅方向において隙間を隔てた状態で第１フレーム３５の下面から前下側へ突出する一対のプレート（後プレート８９という。）と、一対の後プレート８９の後端縁間および下端縁間を塞ぐ塞ぎ部材９０と、塞ぎ部材９０において前上側を臨む面（図７では現れていない）に設けられて上側へ突出する爪９１（図９（ａ）および図１０（ｂ）参照）とを一体的に備えている。各後プレート８９は、幅方向から見て、下方へ向かって前側へ折れ曲る略Ｊ字形状をなしている。
【００９０】
また、第１フレーム３５の左右の両端部のそれぞれの下面において、前ホルダ８５と後ホルダ８６との間には、規制部の一例として前側へ突出する凸部９２が一体的に設けられている（図９（ａ）および図１０（ｂ）も参照）。そして、第１フレーム３５の下面において、凸部９２に対して幅方向内側から隣接する位置には、凹部９３が設けられ、第１フレーム３５において凹部９３を区画する部分には、前側へ突出する突起９４が一体的に設けられている。突起９４は、幅方向から見て、前側へ向かって細くなる略三角形状をなしており、幅方向に薄い。
【００９１】
ここで、図７（ｂ）に示すように、第１フレーム３５の右壁３５Ｒの左側面には、上述した第３電極２８Ｃおよび第４電極２８Ｄのそれぞれの一部が、露出されている。
このような第１フレーム３５を有する第１ユニット２３に対して、図３に示すように、第２ユニット２４（２４Ｋ）が支持されている。第２ユニット２４は、第１ユニット２３に対して下側から組み付けられている。
【００９２】
この状態で、第２ユニット２４において第２フレーム３６より左側の部分（左側の保持部５１、軸受部材５８、案内部材７０、コイルばね６４、１次ギヤ５６および２次ギヤ５７等であり、図４参照）は、第１フレーム３５の左端部（左側の突出部３０と一致する部分）の下方に配置されている。
そして、第２ユニット２４において第２フレーム３６より右側の部分（右側の保持部５１、軸受部材５８、案内部材７０、コイルばね６４および導光部材４４の右端部等であり、図４参照）は、第１フレーム３５の右端部（右側の突出部３０と一致する部分）の下方に配置されている。
【００９３】
このとき、一対の軸受部材５８に支持された１次ローラ４１の軸部４１Ａの右端部に外嵌されたカラー６９（図５参照）は、第１フレーム３５の右壁３５Ｒの左側面に露出された第３電極２８Ｃ（図７（ｂ）参照）に接触し、これにより、１次ローラ４１が、導電性を有するカラー６９を介して第３電極２８Ｃに接続されている。また、一対の軸受部材５８に支持された２次ローラ４２の右端部に外嵌されたカラー６９（図５参照）は、第１フレーム３５の右壁３５Ｒの左側面に露出された第４電極２８Ｄ（図７（ｂ）参照）に接触し、これにより、２次ローラ４２が、カラー６９を介して第４電極２８Ｄに接続されている。
【００９４】
また、第２ユニット２４において、第２フレーム３６は、第１フレーム３５の左右の突出部３０の間（上述した切欠き３１）に収まっており、切欠き３１から後上側へ露出されている（図３（ａ）参照）。
図８は、ブラックの感光体ユニットの正面図であって、感光ドラムを省略している。図９において、（ａ）は、図８のＡ−Ａ矢視断面図であり、（ｂ）は、図８のＢ−Ｂ矢視断面図である。図１０において、（ａ）は、図８のＣ−Ｃ矢視断面図であり、（ｂ）は、図８のＤ−Ｄ矢視断面図である。なお、図９および図１０では、感光ドラムも図示されている。
【００９５】
次に、図９および図１０を参照して、第１ユニット２３と第２ユニット２４との支持関係についてさらに説明する。ここで、図９は、感光体ユニット２１Ｋの左端部周辺の断面図であり、図１０は、感光体ユニット２１Ｋの右端部周辺の断面図である。
図９（ａ）および図１０（ｂ）を参照して、左右の案内部材７０のそれぞれは、第１フレーム３５において幅方向で同じ側にある前ホルダ８５および後ホルダ８６（図７参照）の両方に保持されている。
【００９６】
詳しくは、案内部材７０において、上端部が、前ホルダ８５の一対の前プレート８７（図７参照）の間に挟まり、下端部が、後ホルダ８６の一対の後プレート８９（図７参照）の間に挟まっている。そして、案内部材７０では、上側の第１係合部７９Ａの爪８０が、前ホルダ８５の爪８８に後下側から係合し、下側の第２係合部７９Ｂの爪８０が、後ホルダ８６の爪９１に後上側から係合している。
【００９７】
以上により、左右の案内部材７０が、幅方向で同じ側にある前ホルダ８５および後ホルダ８６に保持されることで、第１フレーム３５に対して、相対移動不能に固定されている。
ここで、上述したように、案内部材７０は、第２ユニット２４の第２フレーム３６が固定された左右の軸受部材５８のそれぞれに取り付けられていることから（図４参照）、第２フレーム３６（つまり第２ユニット２４全体）は、左右の案内部材７０を介して、第１フレーム３５（第１ユニット２３）に支持されている。
【００９８】
そして、上述したように、第２ユニット２４全体が、一体となって、左右の案内部材７０に対して、スライドによって相対移動することができるので、第２ユニット２４は、第１ユニット２３によって、スライド自在に支持されている。第２ユニット２４のスライド方向は、案内部材７０の凹部７３の長手方向（つまり、凹部７３において後上側へ延びる直線部７４に平行な方向であり、図６（ｂ）も参照）である。ここで、第２ユニット２４のスライド方向において、前側へ向かう方向（太い実線矢印参照）を付勢方向Ｘという。
【００９９】
この状態で、上述したように第１フレーム３５において前ホルダ８５と後ホルダ８６との間に設けられた凸部９２が、幅方向で同じ側にある案内部材７０の切欠き７７（図６（ａ）および（ｂ）も参照）に対して後側から嵌り込んでいる。そして、凸部９２は、案内部材７０の第１案内部７１の凹部７３に遊嵌された軸受部材５８の１次軸受部材５９の後側外周面（切欠き７７から後側へ露出された部分）に対して、後側（付勢方向Ｘにおける上流側）から、僅かな隙間を隔てて対向し、または、当接している。
【０１００】
これにより、左右の各１次軸受部材５９は、凸部９２に当接する位置よりも付勢方向Ｘにおける上流側へずれることがない。つまり、凸部９２が、１次ローラ４１の幅方向両端部に対して、付勢方向Ｘにおける上流側に設けられており、１次ローラ４１の幅方向両端部による付勢方向Ｘにおける上流側への移動を規制している。
さらに、図９（ｂ）および図１０（ａ）を参照して、左右の各１次軸受部材５９の後側外周面に取付けられたコイルばね６４の後端が、第１フレーム３５において幅方向で同じ側にある突起９４に対して前側から外嵌されている。この状態で、コイルばね６４は、付勢方向Ｘに沿って長手であり、付勢方向Ｘに沿って圧縮されている。
【０１０１】
これにより、コイルばね６４は、前側（付勢方向Ｘのおける下流側）へ伸びようとし、その際、１次軸受部材５９を付勢方向Ｘにおける下流側へ付勢している。これに伴い、左右一対の軸受部材５８と、軸受部材５８の１次軸受部材５９に支持された１次ローラ４１と、軸受部材５８の２次軸受部材６０に支持された２次ローラ４２とが、一体となって、付勢方向Ｘ（付勢方向Ｘにおける下流側）へ付勢されている。これに伴い、第２ユニット２４全体が、付勢方向Ｘへ付勢されている。この状態で、１次ローラ４１（ローラ部４１Ｂ）の前側外周面は、第２ユニット２４だけでなく、サブユニット１９全体で見ても、前側へ露出されている。
【０１０２】
第１ユニット２３と第２ユニット２４とがこのような支持関係にある状態において、第１ユニット２３と第２ユニット２４とを備えるサブユニット１９は、上述したように、対応する感光ドラム５に対して後上側から対向配置されている。
この状態で、１次ローラ４１は、ローラ部４１Ｂの前側外周面において、感光ドラム５の後側外周面の幅方向全域に対して、後側から接触している。
【０１０３】
ここで、幅方向から見て、１次ローラ４１の円中心（軸部４１Ａ）と感光ドラム５の円中心５Ａを結ぶ直線（点線で示した基準線Ｙ）は、１次軸受部材５９を付勢方向Ｘにおける下流側へ付勢するコイルばね６４の付勢力の作用線（符号Ｘを付した矢印を参照）の延長線上にある。
そのため、１次ローラ４１は、感光ドラム５に対して、その円中心５Ａへ向かって接触しており、一対のコイルばね６４は、一対の１次軸受部材５９（換言すれば１次ローラ４１）を、付勢方向Ｘに沿って、感光ドラム５の円中心５Ａへ向けて付勢している。これにより、感光ドラム５に対して、１次ローラ４１からの押圧が、垂直にかかっている。
【０１０４】
また、図９（ａ）および図１０（ｂ）を参照して、一対の案内部材７０において、対応する１次軸受部材５９が遊嵌された１次案内部７１の凹部７３の長手方向と、対応する２次軸受部材６０が遊嵌された２次案内部７２の凹部７３の長手方向とは、ともに、付勢方向Ｘと平行である。
そのため、コイルばね６４によって１次軸受部材５９が付勢方向Ｘに付勢されている状態において（図９（ｂ）および図１０（ａ）参照）、各案内部材７０では、１次案内部７１の凹部７３が、１次軸受部材５９を付勢方向Ｘへ案内しており、２次案内部７２の凹部７３が、２次軸受部材６０を付勢方向Ｘへ案内している。
【０１０５】
また、感光ドラム５の左端部には、ギヤ（第１ギヤの一例としてのドラムギヤ６８という。）が設けられている（図２参照）。ドラムギヤ６８は、幅方向に延びる中心軸を有する略円筒状であり、その外周面にギヤ歯が形成されている。ここで、１次ローラ４１の左端部に設けられた１次ギヤ５６（図５参照）は、後側からドラムギヤ６８に噛合している（図示せず）。
【０１０６】
また、図１０に示すように、導光部材４４において前側へ円弧状に膨出した前面が、１次ローラ４１の下方の位置において、感光ドラム５の後下側の外周面の幅方向全域に対して、所定の間隔を隔てて後側から対向している。ここで、感光ドラム５の回転方向は、右側から見て、反時計回りの方向（太い点線矢印参照）であるので、感光ドラム５において、導光部材４４に対向する後下側の外周面は、感光ドラム５の回転方向を基準として、感光ドラム５の外周面において１次ローラ４１に接触する直前の部分である。また、導光部材４４の右端部（図３（ｂ）参照）は、タンデム型感光体ユニット４のユニットフレーム２０の右側板２２Ｒ（図１参照）から右側へ露出されており、この状態で、本体ケーシング２（図１参照）に設けられた図示しない光源に対向している。
（２−２）ブラック以外の第２ユニット
ブラック以外の第２ユニット２４Ｙ、２４Ｍおよび２４Ｃについて説明する。
【０１０７】
図１１において、（ａ）は、感光ドラムが省略された状態にあるブラック以外の感光体ユニット（サブユニット）を右後上方から見た斜視図であり、（ｂ）は、感光ドラムが省略された状態にあるブラック以外の感光体ユニット（サブユニット）を右前から見た斜視図である。図１２において、（ａ）は、ブラック以外の第２ユニットを右後上方から見た斜視図であり、（ｂ）は、ブラック以外の第２ユニットを右前から見た斜視図である。
【０１０８】
図２（ａ）を参照して、上述したように、ブラックの第２ユニット２４Ｋ（感光体ユニット２１Ｋ）は、１次ローラ４１および２次ローラ４２の両方を備え、さらに、掻取部材４３および貯留室４７を備えている。
しかし、ブラック以外の第２ユニット２４Ｙ、２４Ｍおよび２４Ｃ（感光体ユニット２１Ｙ、２１Ｍおよび２１Ｃ）は、図２（ｂ）に示すように、１次ローラ４１および２次ローラ４２のうち１次ローラ４１のみを備えており、これに関連して、掻取部材４３および貯留室４７を備えていない。
【０１０９】
具体的に、第２ユニット２４Ｙ、２４Ｍおよび２４Ｃの第２フレーム３６は、上述した下フレーム４５のみを備えている。ただし、第２ユニット２４Ｙ、２４Ｍおよび２４Ｃの下フレーム４５は、第２ユニット２４Ｋの下フレーム４５（図２（ａ）参照）とは、形状が異なる。幅方向から見た第２ユニット２４Ｙ、２４Ｍおよび２４Ｃの下フレーム４５の断面は、後側へ略水平に延びてから略直角に折れ曲って上側へ略垂直に延び、その後、１次ローラ４１の後下側の外周面に沿って湾曲しながら上側へ延びている。
【０１１０】
このような第２ユニット２４Ｙ、２４Ｍおよび２４Ｃは、２次ローラ４２、掻取部材４３および貯留室４７を備えていない分、第２ユニット２４Ｋに比べて、特に前後方向において、小さい。そのため、サブユニット１９全体で見ても、感光体ユニット２１Ｙ、２１Ｍおよび２１Ｃのサブユニット１９は、感光体ユニット２１Ｋのサブユニット１９に比べて、前後方向において小さい（図３および図１１も参照）。
【０１１１】
ここで、図１２を参照して、上述した軸受部材５８および案内部材７０は、第２ユニット２４Ｋ、２４Ｙ、２４Ｍおよび２４Ｃのいずれにおいても同じである（図４も参照）。
ただし、第２ユニット２４Ｙ、２４Ｍおよび２４Ｃは、上述したように、１次ローラ４１および２次ローラ４２のうち１次ローラ４１のみを備えている。そのため、第２ユニット２４Ｙ、２４Ｍおよび２４Ｃの各第２ユニット２４において、左右一対の軸受部材５８は、１次軸受部材５９では、１次ローラ４１の幅方向両端部を回転自在に支持しているが、２次軸受部材６０では、何も支持していない。
【０１１２】
また、第２ユニット２４Ｙ、２４Ｍおよび２４Ｃの各第２ユニット２４の左右の案内部材７０において、１次案内部７１の凹部７３（図６（ａ）参照）に対して、対応する軸受部材５８の１次軸受部材５９において連結部６１より幅方向外側の部分が、幅方向内側から遊嵌されている。そして、２次案内部７２の凹部７３（図６（ａ）参照）に対して、対応する軸受部材５８の２次軸受部材６０において連結部６１より幅方向外側の部分が、幅方向内側から遊嵌されている。
【０１１３】
そして、１次案内部７１の挿通穴７８（図６（ａ）参照）に対して、１次ローラ４１の軸部４１Ａにおいて対応する軸受部材５８の１次軸受部材５９より幅方向外側の部分が、遊嵌されている。
しかし、第２案内部７１の挿通穴７８（図６（ａ）も参照）には、何も嵌まっていない。
【０１１４】
また、上述した一対の保持部５１に関し、第２ユニット２４Ｙ、２４Ｍおよび２４Ｃでは、各保持部５１は、上述した第２保持部５１Ｂおよび第３保持部５１Ｃを含んでいるが、第１保持部５１Ａ（図４参照）は含んでいない。第２ユニット２４Ｙ、２４Ｍおよび２４Ｃでは、第２ユニット２４Ｋと異なり、第２保持部５１Ｂは、下フレーム４５の幅方向端部に一体的に設けられている。
【０１１５】
そのため、第２ユニット２４Ｙ、２４Ｍおよび２４Ｃの各保持部５１では、第２フレーム３６（下フレーム４５）が左右の軸受部材５８に固定された状態において、第２保持部５１Ｂと第３保持部５１Ｃとの間（図１２（ａ）および（ｂ）の両方を参照）に対して、幅方向で同じ側にある軸受部材５８における幅方向略内側半分が嵌め込まれている。
この状態で、各軸受部材５８では、２次軸受部材６０の第２凸部６３（図５も参照）が、幅方向で同じ側にある第２保持部５１Ｂの第２貫通穴５４に対して前側から嵌って第２保持部５１Ｂに係止されている（図１２（ａ）参照）。また、１次軸受部材５９の第３凸部６６が、幅方向で同じ側にある第３保持部５１Ｃの第３貫通穴５５に対して後側から嵌って第３保持部５１Ｃに係止されている（図１２（ｂ）参照）。これにより、第２フレーム３６（下フレーム４５）が、各保持部５１において、左右の軸受部材５８に固定されている。一方で、１次軸受部材５９の第１凸部６２は何にも係止されていない。
【０１１６】
以上で述べた部分以外の構成は、第２ユニット２４Ｋ（図２（ａ）参照）と、第２ユニット２４Ｙ、２４Ｍおよび２４Ｃ（図２（ｂ）参照）とで、ほぼ同じである。
（３）感光体ユニットでの動作
次に、感光体ユニット２１での動作について、ブラックの感光体ユニット２１Ｋを主として説明する。
【０１１７】
ここで、図２（ａ）を参照して、画像形成時には、感光ドラム５が、上述したように右から見て反時計回りに回転している。そのため、ドラムギヤ６８に噛合している１次ローラ４１の１次ギヤ５６（図３（ｂ）参照）には、感光ドラム５の回転に伴う駆動力が、ドラムギヤ６８から伝達されている。これにより、１次ギヤ５６は、１次ローラ４１を、右側から見て時計回りに回転させている。また、１次ギヤ５６に噛合している２次ローラ４２の２次ギヤ５７（図５参照）は、１次ギヤ５６に伝達された駆動力を受けることによって、２次ローラ４２を、右側から見て反時計回りに回転させている。
【０１１８】
そして、画像形成時において、感光体ユニット２１では、上述したように、感光ドラム５の外周面が、帯電器６によって一様に帯電された後、スキャナユニット９（図１参照）からのレーザビームで露光され、これにより、感光ドラム５の外周面に、静電潜像が形成される。この静電潜像は、現像ローラ７の外周面に担持されるトナーによって可視像化されてトナー像となり、トナー像は、用紙Ｓに転写される（図１参照）。この際、感光ドラム５の下側外周面が、用紙Ｓに接触する。
【０１１９】
その後、感光ドラム５の外周面において、用紙Ｓに接触してトナー像が用紙Ｓに転写された部分は、感光ドラム５の回転に伴って、まず、導光部材４４に対して前から対向する。その際、上述した光源（図示せず）が発光し、光源からの光が幅方向（図２（ａ）における紙面に垂直な方向）に沿って左側（図２（ａ）では奥側）へ進行する。そして、この光は、導光部材４４の右端面から導光部材４４内に入射され、導光部材４４内を幅方向に沿って引き続き左側へ進行する。
【０１２０】
ここで、上述したように凹部５０に収容された状態にある導光部材４４において、上面、下面および後面が覆われている一方で、前面が凹部５０から前側へ露出されているので、導光部材４４内を左側へ進行する光のうち、一部が、導光部材４４において前面から前側へ漏れる。また、導光部材４４内を左側へ進行する光のうち、別の部分は、進行途中に、下フレーム４５の前端部および延設部４９において凹部５０を区画する部分で反射して、前側へ進行する。下フレーム４５および延設部４９（つまり第２フレーム３６）は、光を効率的に反射できるように、たとえば白色の材料で形成されている。
【０１２１】
このように進行途中に導光部材４４の前面から前側へ漏れた光と、反射することで前側へ進行する光とが合わさって、引き続き前側へ進行し、感光ドラム５の外周面（導光部材４４に対向している部分であり、１次ローラ４１に接触する直前の部分）の幅方向全域に照射される。これにより、感光ドラム５の外周面が、光が照射された部分において、幅方向全域に亘って露光されるので、この部分の残留電荷が除去される。つまり、導光部材４４は、感光ドラム５の外周面の電荷を除去するための光を、感光ドラム５の外周面における１次ローラ４１に接触する直前の部分へ導く。
【０１２２】
そして、感光ドラム５の外周面において、このように残留電荷が除去された部分は、その後、感光ドラム５の回転によって、回転中の１次ローラ４１に接触する。
このとき、上述した本体ケーシング２の電源（図示せず）から、第３電極２８Ｃ（図３参照）を介して、１次ローラ４１に対して、１次クリーニングバイアスが印加される。
ここで、上述した感光ドラム５から用紙Ｓへのトナー像の転写中において、用紙Ｓから感光ドラム５の外周面に紙粉が付着する場合がある。また、用紙Ｓへのトナー像の転写後に感光ドラム５の外周面に転写残トナーが残留する場合がある。
【０１２３】
これらの紙粉および転写残トナーといった感光ドラム５の表面（外周面）上の異物のうち、転写残トナーは、感光ドラム５と１次ローラ４１との接触位置において、１次クリーニングバイアス（ここでは、感光ドラム５の表面電位よりも低い１次クリーニングバイアス）によって、１次ローラ４１（ローラ部４１Ｂ）の外周面に転写され、１次ローラ４１に一時的に捕捉される。
【０１２４】
また、用紙Ｓにトナー像が転写されないタイミング（たとえば、連続して画像形成される２枚の用紙Ｓがあった場合において、先の用紙Ｓにトナー像が転写されてから後の用紙Ｓにトナー像が転写されるまでの間）には、１次ローラ４１には、感光ドラム５の表面電位よりも高い１次クリーニングバイアスが印加される。
すると、１次ローラ４１によって一時的に捕捉された転写残トナーは、１次ローラ４１から感光ドラム５に戻され、代わりに、感光ドラム５の表面上の紙粉が、１次ローラ４１の表面（ローラ部４１Ｂの外周面）に捕捉される。感光ドラム５に戻された転写残トナーは、感光ドラム５に対向配置された現像ローラ７（図１参照）によって回収される。
【０１２５】
ここで、２次ローラ４２には、上述した本体ケーシング２の電源（図示せず）から、第４電極２８Ｄ（図３参照）を介して、２次クリーニングバイアスが印加されている。そのため、１次ローラ４１の表面上の紙粉は、１次ローラ４１の回転に伴って２次ローラ４２の表面（外周面）に対向したときに、２次クリーニングバイアス（詳しくは、１次クリーニングバイアスと２次クリーニングバイアスとのバイアス差）によって、２次ローラ４２の表面に転写され、２次ローラ４２に捕捉される。
【０１２６】
２次ローラ４２に捕捉された紙粉は、２次ローラ４２の回転に伴って掻取部材４３に対向したときに、掻取部材４３によって２次ローラ４２の表面から掻き取られて落下し、貯留室４７に収容される。ここで、延設部４９と２次ローラ４２との隙間が、フィルム状のシール部材９５によって塞がれており、これにより、この隙間を介して１次ローラ４１側へ紙粉が逆流することが防止されている。
【０１２７】
また、貯留室４７を区画する下フレーム４５および上フレーム４６は、上述したように分割可能であることから、上フレーム４６を取り外すことによって貯留室４７を開放し、貯留室４７内に溜まった紙粉を廃棄することができる。
そして、感光ドラム５の外周面において、このように残留電荷および異物が除去された部分は、その後、感光ドラム５の回転によって、帯電器６に対向する。ここで、画像形成が継続される場合には、感光ドラム５の外周面において帯電器６に対向した部分は、帯電器６によって再び帯電され、この部分には、上述した手順によって静電潜像が形成される。
【０１２８】
以上のように、ブラックの感光体ユニット２１Ｋの第２ユニット２４Ｋでは、１次ローラ４１によって、感光ドラム５の表面上の転写残トナーおよび紙粉が電気的に捕捉される。そして、１次ローラ４１に捕捉された転写残トナーは、感光ドラム５へ電気的に戻された後に現像ローラ７（図１参照）に回収される一方で、１次ローラ４１に捕捉された紙粉は、２次ローラ４２によって電気的に捕捉される。そのため、いわゆるクリーナレス現像方式によって、転写残トナーの回収と並行して紙粉を効率的に除去することができる。
【０１２９】
ここで、図２（ｂ）を参照して、ブラック以外の第２ユニット２４Ｙ、２４Ｍおよび２４Ｃ（感光体ユニット２１Ｙ、２１Ｍおよび２１Ｃ）は、上述したように、１次ローラ４１および２次ローラ４２のうち１次ローラ４１のみを備えており、これに関連して、掻取部材４３および貯留室４７を備えていない。そのため、第２ユニット２４Ｙ、２４Ｍおよび２４Ｃでは、１次ローラ４１において、感光ドラム５から転写残トナーを捕捉し、転写残トナーを感光ドラム５に戻すことはできるが、感光ドラム５から紙粉を捕捉してどこかに溜める（回収する）ことができない。
【０１３０】
しかし、上述したように、図１を参照して、感光体ユニット２１Ｙ、２１Ｍ、２１Ｃは、感光体ユニット２１Ｋに対して、用紙Ｓの搬送方向における下流側にあることから、用紙Ｓに含まれる紙粉のほとんどは、感光体ユニット２１Ｋの感光ドラム５の外周面に付着する。そのため、感光体ユニット２１Ｙ、２１Ｍ、２１Ｃの感光ドラム５の外周面に紙粉が付着することはほとんどない。そのため、感光体ユニット２１Ｙ、２１Ｍ、２１Ｃの各第２ユニット２４（２４Ｙ、２４Ｍ、２４Ｃ）は、感光ドラム５から紙粉を捕捉して回収する機能を有していなくてもよい。
【０１３１】
また、第２ユニット２４Ｙ、２４Ｍおよび２４Ｃでも、第２ユニット２４Ｋと同様に、導光部材４４が、感光ドラム５の残留電荷を除去する。
３．作用効果
（１）以上のように、図９を参照して、感光体ユニット２１では、１次ローラ４１が、表面（外周面）にトナー像が形成される感光ドラム５の表面に接触して感光ドラム５の表面上の異物を捕捉する。１次ローラ４１の軸方向（幅方向）両端部は、一対の１次軸受部材５９によって回転自在に支持されている（図５も参照）。
【０１３２】
ここで、図９（ｂ）に示すように、一対のコイルばね６４（図５も参照）が一対の１次軸受部材５９を感光ドラム５へ向けて付勢するので、１次ローラ４１を直接感光ドラム５へ向けて付勢することができる。さらに、図９（ａ）に示すように、一対の案内部材７０が、コイルばね６４が１次軸受部材５９を付勢する付勢方向Ｘへ、一対の１次軸受部材５９を案内するので、１次ローラ４１を感光ドラム５へ向けて正確に付勢することができる。
【０１３３】
これらの結果、１次ローラ４１を感光ドラム５に安定して接触させることができる。
（２）図９（ｂ）に示すように、感光体ユニット２１のサブユニット１９では、第１フレーム３５（ここでは、図１に示すタンデム型感光体ユニット４のユニットフレーム２０も第１フレーム３５とみなされる。）が感光ドラム５を保持している一方で、第２フレーム３６が、１次ローラ４１、一対の１次軸受部材５９および一対のコイルばね６４を保持している。
【０１３４】
つまり、１次ローラ４１、一対の１次軸受部材５９および一対のコイルばね６４が第２フレーム３６においてユニット化されているので、第１フレーム３５と第２フレーム３６とを組み合わせるといった単純な作業で感光体ユニット２１を容易に完成させることができる。
（３）第２フレーム３６（図２も参照）は、図９（ａ）に示すように、案内部材７０を介して第１フレーム３５に支持されている。これにより、案内部材７０は、１次軸受部材５９を案内するだけでなく、第１フレーム３５と第２フレーム３６とを連結させる役割も兼ねるので、部品点数の低減を図ることができる。
（４）図２に示すように、導光部材４４は、感光ドラム５の表面の電荷を除去するための光を、感光ドラム５の表面における１次ローラ４１に接触する直前の部分（後下側の外周面）へ導く。これにより、感光ドラム５の表面において１次ローラ４１に接触する部分では電荷が除去されており、１次ローラ４１は、感光ドラム５の表面の電荷の影響を受けることなく、円滑に、感光ドラム５の表面上の異物を捕捉することができる。
【０１３５】
そして、導光部材４４を第２フレーム３６に設けることによって、導光部材４４を支持する部材を別途設けずに済むので、部品点数の低減を図ることができる。
（５）第２フレーム３６は、光を反射させる材料（たとえば白色の材料）で形成されているので、導光部材４４による感光ドラム５の表面へ光を導く作用を補助することができる。
（６）図５に示すように、１次ローラ４１の軸方向一端部（左端部）には、感光ドラム５のドラムギヤ６８（図２参照）に噛合してドラムギヤ６８から駆動力が伝達されることによって１次ローラ４１を回転させる１次ギヤ５６が設けられている。
【０１３６】
そのため、１次ローラ４１において、左端部の位置は、安定する。特に、１次ギヤ５６のギヤ歯は、斜歯となっており、１次ギヤ５６における圧力角方向（ドラムギヤ６８の歯面が１次ギヤ５６の歯面を押圧する方向）は、幅方向外側（左側）へ向かう方向である。そのため、１次ギヤ５６は、駆動を受けても左側へしか動かないが、１次ギヤ５６の左側には、第１フレーム３５の左壁３５Ｌ（図７（ａ）参照）が位置しているので、１次ギヤ５６は、左側へ動くこともできない。そのため、１次ローラ４１において、左端部の位置は、常に、安定している。
【０１３７】
一方で、１次ローラ４１において、軸方向他端部（右端部）側の位置は、左端部ほど安定しない。これにより、図１０（ｂ）を参照して、１次ローラ４１において、右端部側が付勢方向Ｘにおける上流側へずれて感光ドラム５の表面に安定して接触できなくなることによって、１次ローラ４１が右端部側において感光ドラム５の表面上の異物を捕捉できなくなるおそれがある。
【０１３８】
そこで、１次ローラ４１の右端部に対して付勢方向Ｘにおける上流側には、凸部９２が設けられている。なお、本実施例では、１次ローラ４１の左右の両端部に対して付勢方向Ｘにおける上流側のそれぞれに、凸部９２が設けられている（図９（ａ）も参照）。
凸部９２は、１次ローラ４１の右端部による付勢方向Ｘにおける上流側への移動を規制する。これにより、１次ローラ４１の右端部の位置が、左端部側と同様に安定する。この結果、１次ローラ４１は、左端部側および右端部側の両方において、感光ドラム５の表面に安定して接触できるので、幅方向における全域に亘って、感光ドラム５の表面上の異物を確実に捕捉することができる。
（７）図２（ａ）に示すように、２次ローラ４２が１次ローラ４１の表面（ローラ部４１Ｂの外周面）に接触して１次ローラ４１の表面上の異物を捕捉することによって、１次ローラ４１による感光ドラム５の表面上の異物を捕捉する能力を回復させることができる。２次ローラ４２の幅方向両端部は、一対の２次軸受部材６０によって回転自在に支持されている（図５参照）。
【０１３９】
ここで、案内部材７０には、１次案内部７１と２次案内部７２とが設けられている（図６参照）。
図９（ａ）および図１０（ｂ）に示すように、１次案内部７１が１次軸受部材５９を付勢方向Ｘへ案内するので、１次ローラ４１を感光ドラム５へ向けて正確に付勢して、１次ローラ４１を感光ドラム５に安定して接触させることができる。
【０１４０】
２次案内部７２が２次軸受部材６０を付勢方向Ｘへ案内するので、１次案内部７１によって付勢方向Ｘへ案内されている１次軸受部材５９に対して２次軸受部材６０を追従させることができ、２次ローラ４２が１次ローラ４１の表面に接触した状態（図２（ａ）参照）を常に維持することができる。この結果、２次ローラ４２は、安定して、１次ローラ４１の表面に接触して１次ローラ４１の表面上の異物を捕捉することができる。
（８）図１に示すように、感光体ユニット２１Ｋでは、貯留室４７が、２次ローラ４２が捕捉した異物を収容するので、感光ドラム５の表面上の異物を確実に回収することができ、また、２次ローラ４２による１次ローラ４１の表面上の異物を捕捉する能力を回復させることができる。
（９）タンデム型感光体ユニット４は、感光体ユニット２１を、トナー像が転写される用紙Ｓの搬送方向（ここでは、略水平に沿って後側へ向かう方向であり、以下では、単に「搬送方向」という。）に並んだ状態で複数（ここでは４つ）保持し、本体ケーシング２に対して着脱自在である。そのため、タンデム型感光体ユニット４を本体ケーシング２に対して着脱させることで、各感光体ユニット２１のメンテナンスが可能である。
【０１４１】
ここで、４つの感光体ユニット２１において、搬送方向における最上流側（最も前側）の感光体ユニット２１Ｋでは、感光体ユニット２１Ｋに対して搬送方向下流側の感光体ユニット２１Ｙ、２１Ｍおよび２１Ｃに比べて、用紙Ｓの紙粉が感光ドラム５の表面に付着しやすい。そのため、感光体ユニット２１Ｋの１次ローラ４１には、感光体ユニット２１Ｙ、２１Ｍおよび２１Ｃの１次ローラ４１とは異なり、多くの紙粉が捕捉されることになる。
【０１４２】
そこで、感光体ユニット２１Ｋは、１次ローラ４１および２次ローラ４２の両方を備えている。これにより、感光体ユニット２１Ｋでは、２次ローラ４２によって、１次ローラ４１による感光ドラム５の表面上の紙粉を捕捉する能力を回復させながら、１次ローラ４１が感光ドラム５の表面上の多くの紙粉を確実に捕捉することができる。
一方、感光体ユニット２１Ｙ、２１Ｍおよび２１Ｃの１次ローラ４１では、感光体ユニット２１Ｋの１次ローラ４１とは異なり、紙粉が捕捉されることはほとんどない。これは、感光ドラム５に付着するような用紙Ｓの紙粉は、搬送方向上流側の感光体ユニット２１Ｋの感光ドラム５にほとんど付着するためである。従って、感光体ユニット２１Ｙ、２１Ｍおよび２１Ｃは、１次ローラ４１および２次ローラ４２のうち１次ローラ４１のみを備えている。
【０１４３】
つまり、感光体ユニット２１Ｋ、２１Ｙ、２１Ｍおよび２１Ｃのそれぞれにおいて、感光ドラム５の表面に紙粉が付着し得るか否かに応じて、１次ローラ４１および２次ローラ４２の両方を備えるか、１次ローラ４１のみを備えるかを、無駄が生じないように設定している。
この結果、タンデム型感光体ユニット４における部品点数の低減、および、タンデム型感光体ユニット４の小型化を図ることができる。
【０１４４】
たとえば、用紙搬送の構成上、ベルト１１の搬送方向における最下流側（最も後側）では、全色のトナー像が転写された用紙Ｓが定着器１３へ向かって浮き上がる場合がある。ここで、搬送方向における最下流側の感光体ユニット２１Ｃでは、２次ローラ４２および貯留室４７（感光体ユニット２１Ｋを参照）がない分、前後方向にコンパクトになっている。そのため、感光体ユニット２１Ｃが、浮き上がろうとする用紙Ｓの搬送を阻害せず、また、用紙Ｓにおいて未定着のトナーが感光体ユニット２１Ｃに付着することを防止できる。
４．変形例
案内部材７０（図６参照）は、上記の実施例では、第１フレーム３５（図７参照）とは別部品であったが、第１フレーム３５に一体形成されてもよい。
【０１４５】
この場合、第１フレーム３５（ここでは、図１に示すタンデム型感光体ユニット４のユニットフレーム２０も第１フレーム３５とみなされる。）に保持された感光ドラム５と案内部材７０との相対位置が安定する。これにより、案内部材７０は、１次軸受部材５９を付勢方向Ｘ（感光ドラム５へ向かう方向であり、図９および図１０参照）へ正確に案内することができる。
【符号の説明】
【０１４６】
２      本体ケーシング
４      タンデム型感光体ユニット
５      感光ドラム
２１    感光体ユニット
２１Ｋ  感光体ユニット
２１Ｙ  感光体ユニット
２１Ｍ  感光体ユニット
２１Ｃ  感光体ユニット
３５    第１フレーム
３６    第２フレーム
４１    １次ローラ
４２    ２次ローラ
４４    導光部材
４７    貯留室
５６    １次ギヤ
５９    １次軸受部材
６０    ２次軸受部材
６４    コイルばね
６８    ドラムギヤ
７０    案内部材
７１    第１案内部
７２    第２案内部
９２    凸部
Ｘ      付勢方向
Ｓ      用紙
【図１】
2010262097.tif 000003
【図２】
2010262097.tif 000004
【図３】
2010262097.tif 000005
【図４】
2010262097.tif 000006
【図５】
2010262097.tif 000007
【図６】
2010262097.tif 000008
【図７】
2010262097.tif 000009
【図８】
2010262097.tif 000010
【図９】
2010262097.tif 000011
【図１０】
2010262097.tif 000012
【図１１】
2010262097.tif 000013
【図１２】
2010262097.tif 000014